(57)【要約】【課題】安価に又扉引出し操作性を悪化させることなく、冷気の外部への漏洩を抑制することができる冷蔵庫を提供する。【解決手段】この発明に係る冷蔵庫は、本体と、本体の内部を仕切り壁により仕切ることにより形成され、前面開口部を有する貯蔵室と、貯蔵室の前面開口部を開閉し、扉内板と扉外板とを有し扉内板と扉外板との間には断熱材が充填され、前後に摺動自在な引出し式扉と、引出し式扉の扉内板の外周縁の略全周にわたって設けられ、ヒレを有するガスケットと、仕切り壁の下面に仕切り壁の開口縁に沿って取り付けられ、引出し式扉が閉じられた状態でガスケットのヒレに、軟質部が当接するパッキンとを備えたことを特徴とする。【選択図】図３
2010065888.tif 000002
【特許請求の範囲】
【請求項１】
本体と、
前記本体の内部を仕切り壁により仕切ることにより形成され、前面開口部を有する貯蔵室と、
前記貯蔵室の前面開口部を開閉し、扉内板と扉外板とを有し前記扉内板と前記扉外板との間には断熱材が充填され、前後に摺動自在な引出し式扉と、
前記引出し式扉の前記扉内板の外周縁の略全周にわたって設けられ、ヒレを有するガスケットと、
前記仕切り壁の下面に前記仕切り壁の開口縁に沿って取り付けられ、前記引出し式扉が閉じられた状態で前記ガスケットの前記ヒレに、軟質部が当接するパッキンとを備えたことを特徴とする冷蔵庫。
【請求項２】
前記パッキンの前記軟質部に当接する前記ガスケットの前記ヒレを、袋状部としたことを特徴とする請求項１の冷蔵庫。
【請求項３】
本体と、
前記本体の内部を仕切り壁により仕切ることにより形成され、前面開口部を有する貯蔵室と、
前記貯蔵室の前面開口部を開閉し、扉内板と扉外板とを有し前記扉内板と前記扉外板との間には断熱材が充填され、前後に摺動自在な引出し式扉と、
前記引出し式扉の前記扉内板に形成され、当該冷蔵庫の正面から見て左右方向に延びるとともに前記貯蔵室側に突出する凸部と、
前記仕切り壁の下面に前記仕切り壁の開口縁に沿って取り付けられ、前記引出し式扉が閉じられた状態で前記凸部に、軟質部が当接するパッキンとを備えたことを特徴とする冷蔵庫。
【請求項４】
前記引出し式扉の前記扉内板の外周縁の略全周にわたって設けられ、ヒレを有するガスケットを備え、前記引出し式扉が閉じられた状態で前記ガスケットの前記ヒレに、前記パッキンの軟質部が当接することを備えたことを特徴とする請求項３記載の冷蔵庫。
【発明の詳細な説明】
【技術分野】
【０００１】
この発明は、冷蔵庫に関するものである。
【背景技術】
【０００２】
いわゆる引出し式扉を有する冷蔵庫の一室、例えば冷凍室につき、該一室内の冷却を効率的に行なうことのできるものを提供するために、本体の下面に設けた突条部の下端を容器の前端部に当接させて、容器の上部の空間と、引出し式扉の背面上部及び本体によって形成される熱侵入空間とを遮蔽するとともに、引出し式扉と容器との間に断熱部材を配して、容器の前面の空間と熱侵入空間とを遮蔽して、容器の前面上部から通風孔を経てその前面に流れる冷気を、熱侵入空間に侵入した熱から遮断する冷蔵庫が提案されている（例えば、特許文献１参照）。
【０００３】
この冷蔵庫は、扉周縁部に取り付けられたガスケットと仕切り壁が扉を閉じている状態で当接し、引出し式扉の凸部と容器の前壁延出部とをシール材を介して当接させることで、冷凍室の冷気が容器の前面空間へ流れることが防止されている。
【０００４】
また、仕切り壁の下面から板状のリブが容器の全幅に渡って垂下している。このリブが容器の前壁延出部と当接して、冷凍室の冷気が容器の上部からガスケット側へ流れることを防止されている。
【０００５】
また、容器は容器支えから取り外して清掃可能なように前後方向に余裕を持たせているが、容器が最も後方に位置したときでもフランジ部とシール材とが十分当接するように構成されている。
【特許文献１】特開平９−７９７２８号公報
【発明の開示】
【発明が解決しようとする課題】
【０００６】
しかしながら、上記特許文献１に記載された冷蔵庫は、仕切り壁のリブと容器の前壁延出部は、容器が前後方向に余裕を持つと、当接しない場合、もしくは、扉が閉まりきる前にリブと延出部とが当接し、扉が閉まらない要因になる課題がある。
【０００７】
また、１室に複数の容器を備えた冷蔵庫の場合、下の容器に上の容器がスライドする機構を持ち、扉を引出した後に上の容器を後方にスライドさせることで、下の容器の食品が取れるようになっている。このような場合では、延出部と扉凸部とをシール材を介して当接させる方法では、上の容器を扉凸部と当接させようとするとスライド機構のため、扉凸部にシール材がついていると、引出し操作性の悪化、もしくは、食品の負荷により、上の容器が所定の位置よりも低くなり、扉凸部と上の容器が正面から当たる可能性がある。また、下の容器を扉の凸部と当接させるためには、下の容器を高さ方向に大きくする必要があり、コストの増大及び容器の清掃性の悪化を招くという課題があった。
【０００８】
この発明は上記のような課題を解決するためになされたもので、安価に又扉引出し操作性を悪化させることなく、冷気の外部への漏洩を抑制することができる冷蔵庫を提供することを目的とする。
【課題を解決するための手段】
【０００９】
この発明に係る冷蔵庫は、本体と、
前記本体の内部を仕切り壁により仕切ることにより形成され、前面開口部を有する貯蔵室と、
前記貯蔵室の前面開口部を開閉し、扉内板と扉外板とを有し前記扉内板と前記扉外板との間には断熱材が充填され、前後に摺動自在な引出し式扉と、
前記引出し式扉の前記扉内板の外周縁の略全周にわたって設けられ、ヒレを有するガスケットと、
前記仕切り壁の下面に前記仕切り壁の開口縁に沿って取り付けられ、前記引出し式扉が閉じられた状態で前記ガスケットの前記ヒレに、軟質部が当接するパッキンとを備えたことを特徴とする。
【発明の効果】
【００１０】
この発明に係る冷蔵庫は、引出し式扉が閉じられた状態で、引出し式扉の扉内板の外周縁の略全周にわたって設けられるガスケットのヒレが、仕切り壁の下面に仕切り壁の開口縁に沿って取り付けられるパッキンの軟質部に冷凍室側に押し込まれるように当接して、貯蔵室内の冷気がガスケット側へ流れ込むのを防止するので、引出し操作性の悪化を招かずに省エネの向上に寄与する構造の冷蔵庫を提供することができる。
【発明を実施するための最良の形態】
【００１１】
実施の形態１．
図１乃至図３は実施の形態１を示す図で、図１は冷蔵庫１００の正面図、図２は冷蔵庫１００の縦断面図、図３は冷蔵庫１００の冷凍室扉２ｄ付近の要部拡大図である。
【００１２】
図４は比較例を示す図で、一般的な冷蔵庫１００の冷凍室扉２ｄ付近の要部拡大図である。
【００１３】
図１、図２により冷蔵庫１００の一例の全体構成を説明する。冷蔵庫１００は、鋼板製の外箱１ａと樹脂製の内箱１ｂとの間に断熱材１ｃを充填して形成され、一面（前面）が開口した開口部を有する箱状の本体１（断熱箱体）を備える。本体１の内部は、仕切り壁により複数の室に仕切られている。
【００１４】
図１、図２に示す冷蔵庫１００は、五つの室に仕切られている例である。五つの室の前面は開口しており、この前面開口部に後述する扉が取り付けられる。上部に冷蔵室６、中央左側に製氷室７、製氷室７の右側に切替室、製氷室７と切替室の下に冷凍室９、冷凍室９の下に野菜室８が形成されている。尚、左右は、この明細書では冷蔵庫１００を正面から見たときの左右と定義する。また、図２では、切替室は見えていない。この明細書では、引出式の扉を備える製氷室７、切替室、冷凍室９、野菜室８を貯蔵室の一例と定義する。
【００１５】
冷蔵室６と製氷室７及び切替室との間は、仕切り壁１０で仕切られている。
【００１６】
製氷室７及び切替室と冷凍室９との間は、仕切り壁１２で仕切られている。
【００１７】
冷凍室９と野菜室８との間は、仕切り壁１３で仕切られている。
【００１８】
冷蔵庫１００上部に位置する冷蔵室６の冷蔵室扉２ａは、回転式であり、且つ左右の冷蔵室左扉２ａ−１、冷蔵室右扉２ａ−２に別れた両開きの扉である。
【００１９】
冷蔵室６の下で、左側に位置する製氷室７の製氷室扉２ｂは、引出式の扉である。
【００２０】
製氷室７の右側に位置する切替室扉２ｃは、引出式の扉である。
【００２１】
製氷室７と切替室の下に位置する冷凍室９の冷凍室扉２ｄは、引出式の扉である。
【００２２】
冷凍室９の下に位置する野菜室８の野菜室扉２ｅは、引出式の扉である。
【００２３】
製氷室７の製氷室扉２ｂには、製氷室扉２ｂの背面に容器５０ａを設置する容器支え２０ａ（鋼板製のフレーム）が取り付けられている。
【００２４】
冷凍室９の冷凍室扉２ｄには、冷凍室扉２ｄの背面に容器５０ｃを設置する容器支え２０ｂ（鋼板製のフレーム）が取り付けられている。さらに、容器５０ｃの上に、容器５０ｃよりも奥行き寸法の短い容器５０ｂを載せる。容器５０ｂは容器５０ｃの上で、前後にスライド可能になっている。
【００２５】
野菜室８の野菜室扉２ｅには、野菜室扉２ｅの背面に容器５０ｄを設置する容器支え２０ｃ（鋼板製のフレーム）が取り付けられている。
【００２６】
冷蔵庫１００は、圧縮機（図示せず）を用いた冷凍サイクルにより各室（冷蔵室６、製氷室７、切替室、冷凍室９、野菜室８）を冷却する冷気を生成する。冷蔵庫１００の背面側で、内箱１ｂの内側に冷却器室（図示せず）が設けられ、この冷却器室で冷気が生成される。冷却器室に設けられる冷凍サイクルの蒸発器（図示せず）において、冷媒と空気とが熱交換することで冷気が生成される。このとき空気中の水分が蒸発器において結露し、やがて霜となる。蒸発器に付着した霜は、蒸発器の性能を維持するために定期的に例えば電気ヒータを用いて溶かされ、蒸発皿（図示せず）に貯留される。蒸発皿に貯留する除霜水は、例えば、冷凍サイクルの凝縮器で加熱して蒸発する。
【００２７】
本実施の形態は、安価に又扉引出し操作性を悪化させることなく、冷気の外部への漏洩を抑制することができる冷蔵庫１００を提供するものであるが、先ず図４（一般的な冷蔵庫１００の冷凍室扉２ｄ付近の要部拡大図）に示す比較例について、冷凍室９における冷凍室扉２ｄのシール（冷気の外部への漏洩防止）について説明する。
【００２８】
図４に示す一般的な冷蔵庫１００では、冷凍室扉２ｄの背面周縁にマグネット２２が挿入されたガスケット２１が取り付けられる。また、冷凍室９の開口縁に水平な仕切り板１１が取り付けられる。ガスケット２１と仕切り板１１が、冷凍室扉２ｄが閉じている状態で当接することで冷凍室９の冷気が外部へ漏洩するのを防いでいる。
【００２９】
また、引出し式の冷凍室扉２ｄの凸部７０（冷凍室扉２ｄの内板に形成され、冷蔵庫１００の正面から見て左右方向に形成される）と容器５０ｃのフランジ部５０ｃ−２とをシール材６０を介して当接させることで、冷凍室９の冷気が容器５０ｃの前面空間５２へ流れることを防止している。
【００３０】
さらに、仕切り壁１２の下面から板状のリブ１６が容器５０ｃの全幅（冷蔵庫１００の正面から見て左右方向）に渡って垂下している。このリブ１６が容器５０ｃの前壁延出部５０ｃ−１と当接して、冷凍室９の冷気が容器の上部からガスケット２１側の前面空間５２へ流れることを防止している。
【００３１】
また、容器５０ｃは、容器支え２０ｂから取り外して清掃可能なように前後方向に余裕を持たせているが、容器５０ｃが最も後方に位置したときでもフランジ部５０ｃ−２とシール材６０とが、冷気の漏洩を抑制できるように十分に当接する構成になっている。
【００３２】
しかしながら、仕切り壁１２のリブ１６と容器５０ｃの前壁延出部５０ｃ−１は、容器５０ｃが前後方向に余裕を持つと、当接しない、もしくは、冷凍室扉２ｄが閉まりきる前にリブ１６と前壁延出部５０ｃ−１が当接し、冷凍室扉２ｄが閉まらない要因になる課題がある。
【００３３】
また、図２のように、冷凍室９に複数の容器（下の容器５０ｃ、上の容器５０ｂ）を備えた冷蔵庫１００の場合、下の容器５０ｃに上の容器５０ｂがスライドする機構を持ち、冷凍室扉２ｄを引出した後に上の容器５０ｂを後方にスライドさせることで、下の容器５０ｃの食品が取れるようになっている。
【００３４】
このような場合、フランジ部５０ｃ−２と冷凍室扉２ｄの凸部７０とをシール材６０を介して当接させる方法では、上の容器５０ｂを凸部７０と当接させようとするとスライド機構のため、凸部７０にシール材６０がついていると、引出し操作性が悪化する。もしくは、食品の負荷により、上の容器５０ｂが所定の位置よりも低くなり、凸部７０と上の容器５０ｂが正面から当たる可能性がある。
【００３５】
また、下の容器５０ｃを凸部７０と当接させるためには、下の容器５０ｃを高さ方向に大きくする必要があり、コストの増大及び容器５０ｃの清掃性の悪化を招くという課題があった。
【００３６】
図３により、本実施の形態の冷凍室９における冷凍室扉２ｄのシール（冷気の外部への漏洩防止）について説明する。
【００３７】
冷凍室扉２ｄは、扉内板８０と扉外板８１とを備える。扉内板８０と扉外板８１との間には断熱材８２が充填されて、冷蔵庫１００の外部からの熱侵入を抑制している。扉内板８０の材質は、ＡＢＳ樹脂（アクリロニトリル、ブタジエン、スチレン共重合合成樹脂）である。
【００３８】
扉内板８０は、冷蔵庫１００の正面から見て左右に延びる凸部７０を有する。この凸部７０が冷凍室９側に突出している。凸部７０が冷凍室９側に突出することにより、断熱材８２の厚さが大きくなる。この凸部７０の冷凍室９内に突出する寸法が大きくなればなるほど、断熱材８２が厚くなり、冷凍室扉２ｄの断熱性能が向上する。
【００３９】
パッキン９０が、仕切り壁１２の下面に仕切り壁１２の開口縁に沿って全幅（冷蔵庫１００の正面から見て左右方向）に渡って取り付けられる。
【００４０】
図３に示すように、パッキン９０は、仕切り壁１２に取り付けられる取り付け部９０ｂと、取り付け部９０ｂから下方に垂下するように形成される複数のヒレ９０ａを有する。複数のヒレ９０ａは、パッキン９０の略全幅に形成される。図３に示す例では、パッキン９０は３枚のヒレ９０ａを有する。
【００４１】
パッキン９０の取り付け部９０ｂの材質は、硬質ＰＶＣ（ポリ塩化ビニル）であり、ヒレ９０ａの材質は、軟質ＰＶＣである。このように、ヒレ９０ａは、取り付け部９０ｂに比べ軟質な樹脂（軟質部）で構成されている。
【００４２】
扉内板８０の外周縁に、全周にわたる凹部８０ａを設ける。その凹部８０ａにガスケット２１が取り付けられる。ガスケット２１の材料は、例えば、ＰＶＣである。
【００４３】
このガスケット２１には、複数のヒレ２１ａが設けられる。それらのヒレ２１ａと扉内板８０とが当接することで、空気断熱層を作り、断熱性能を向上させている。
【００４４】
冷凍室扉２ｄが閉じられた状態で、パッキン９０のヒレ２１ａのいずれか１枚（図３の例では、３枚のヒレ２１ａの中の、中央のヒレ２１ａ）が、扉内板８０の凸部７０に冷凍室９の後方に押される形で当接する。
【００４５】
それにより、冷凍室９の冷気がガスケット２１側へ流れ込むのを防止している。
【００４６】
パッキン９０のヒレ９０ａを軟質な樹脂としているので、扉内板８０の凸部７０により、パッキン９０のヒレ９０ａが冷凍室９の後方に押し込まれる際には、抵抗がなく凸部７０と当接することで、冷凍室扉２ｄはきちんとガスケット２１が仕切り壁１２の仕切り板１１に当接して閉じられる。
【００４７】
また、パッキン９０のヒレ９０ａを扉内板８０の凸部７０が冷凍室９の後方に押し込むことで、パッキン９０の取り付けバラツキや冷凍室扉２ｄの組立てバラツキで、扉内板８０の凸部７０とパッキン９０が当接しないことを回避できる構造としている。
【００４８】
ガスケット２１には、冷凍室９の開口縁全周に沿って、複数の最も冷凍室側のヒレ２１ａに袋状部２１ａ−１を設けている。
【００４９】
冷凍室扉２ｄを閉じた状態では、この袋状部２１ａ−１によりパッキン９０の先端のヒレ９０ａ（最も冷凍室扉２ｄ側の１枚）が冷凍室側に押し込まれるように当接する。
【００５０】
それにより、冷凍室９内の冷気がガスケット２１側へ流れ込むのを防止している。
【００５１】
従って、引出し操作性の悪化を招かずに省エネの向上に寄与する構造の冷蔵庫を提供することができる。
【００５２】
以上の説明では、冷凍室扉２ｄを例に挙げたが、製氷室扉２ｂ、切替室扉２ｃ、野菜室扉２ｅ等の引出し式の扉であれば、本実施の形態は適用できる。
【００５３】
以上のように、本実施の形態によれば、冷凍室扉２ｄが閉じられた状態で、パッキン９０のヒレ２１ａのいずれか１枚が、扉内板８０の凸部７０に冷凍室９の後方に押される形で当接することにより、冷凍室９の冷気がガスケット２１側へ流れ込むのを防止する。
【００５４】
また、パッキン９０のヒレ９０ａを軟質ＰＶＣ樹脂としているので、扉内板８０の凸部７０により、パッキン９０のヒレ９０ａが冷凍室９の後方に押し込まれる際には、抵抗がなく凸部７０と当接することで、冷凍室扉２ｄはきちんとガスケット２１が仕切り壁１２の仕切り板１１に当接して閉じられる。
【００５５】
また、パッキン９０のヒレ９０ａを扉内板８０の凸部７０が冷凍室９の後方に押し込むことで、パッキン９０の取り付けバラツキや冷凍室扉２ｄの組立てバラツキで、扉内板８０の凸部７０とパッキン９０が当接しないことを回避できる。
【００５６】
さらに、ガスケット２１に、冷凍室９の開口縁全周に沿って、複数の最も冷凍室側のヒレ２１ａに袋状部２１ａ−１を設け、冷凍室扉２ｄを閉じた状態で、袋状部２１ａ−１によりパッキン９０の先端のヒレ９０ａ（最も冷凍室扉２ｄ側の１枚）が冷凍室側に押し込まれるように当接することにより、冷凍室９内の冷気がガスケット２１側へ流れ込むのを防止する。従って、引出し操作性の悪化を招かずに省エネの向上に寄与する構造の冷蔵庫を提供することができる。
【図面の簡単な説明】
【００５７】
【図１】実施の形態１を示す図で、冷蔵庫１００の正面図。
【図２】実施の形態１を示す図で、冷蔵庫１００の縦断面図。
【図３】実施の形態１を示す図で、冷蔵庫１００の冷凍室扉２ｄ付近の要部拡大図。
【図４】比較例を示す図で、一般的な冷蔵庫１００の冷凍室扉２ｄ付近の要部拡大図。
【符号の説明】
【００５８】
１  本体、１ａ  外箱、１ｂ  内箱、１ｃ  断熱材、２ａ  冷蔵室扉、２ａ−１  冷蔵室左扉、２ａ−２  冷蔵室右扉、２ｂ  製氷室扉、２ｃ  切替室扉、２ｄ  冷凍室扉、２ｅ  野菜室扉、６  冷蔵室、７  製氷室、８  野菜室、９  冷凍室、１０  仕切り壁、１１  仕切り板、１２  仕切り壁、１３  仕切り壁、１６  リブ、２０ａ  容器支え、２０ｂ  容器支え、２０ｃ  容器支え、２１  ガスケット、２１ａ  ヒレ、２１ａ−１  袋状部、２２  マグネット、５０ａ  容器、５０ｂ  容器、５０ｃ  容器、５０ｃ−１  前壁延出部、５０ｃ−２  フランジ部、５０ｄ  容器、５２  前面空間、６０  シール材、７０  凸部、８０  扉内板、８０ａ  凹部、８１  扉外板、８２  断熱材、９０  パッキン、９０ａ  ヒレ、９０ｂ  取り付け部、１００  冷蔵庫。
【図１】
2010065888.tif 000003
【図２】
2010065888.tif 000004
【図３】
2010065888.tif 000005
【図４】
2010065888.tif 000006